(57)【特許請求の範囲】
【請求項１】
洗髪時に洗髪者が椅子に座した状態で上体を前に倒した際に腹部から下胸部の間の部位と大腿部間にできる隙間に介在配置する側面視で三角形の三角形状体であって、その上面と底面との間の角度を、前記上体を倒した際に生じる上体の大腿部に対する傾斜角に対応させ、かつ縦方向の寸法が洗髪者の下腹部から下胸部間に納まる長さで、横方向の寸法が洗髪者の両大腿部間の幅に乗る長さを有し、更に洗髪者の腹部に接する辺に腹部の形状に合わせて円弧状当接部を形成してなり、前記隙間に介在配置した場合に、前記洗髪者の上体の荷重に耐える剛性を有し、前記側面視の三角形状を一定に保持しうる、スチレン樹脂を４０倍から６０倍に発泡成形した発泡体又は同等の性能を有するポリエチレン又はゴム材を発泡成形した発泡体から構成した三角形状体である洗髪用補助マット。
【請求項２】
請求項１の洗髪用補助マットにおいて、前記三角形状体を、その上面と底面間の角度が１０度〜３０度、縦方向の長さが１５〜３０ｃｍ、横方向の長さが２５〜４５ｃｍとなるように構成した洗髪用補助マット。
【請求項３】
請求項１の洗髪用補助マットにおいて、前記三角形状体を、その周囲の全体又は一部をシート材又は防水カバーで被覆して構成した洗髪用補助マット。
【請求項４】
請求項１の洗髪用補助マットにおいて、前記三角形状体の底面に、使用時に当接する両大腿部上面に沿うアーチ状又はブロック形状の溝を一体成形し、かつ該溝を被覆すべく、底面にシート材を配した洗髪用補助マット。
【請求項５】
請求項１の洗髪用補助マットにおいて、前記三角形状体を、そのほぼ横方向中央部で二つ折可能に構成した洗髪用補助マット。
【発明の詳細な説明】
【技術分野】
【０００１】  本発明は、腰痛症状を持つ人の洗髪に好適で、洗髪姿勢を安定に維持して腰部への負担を軽減して腰痛を軽減するために使用する洗髪用補助マットに関するものである。
【背景技術】
【０００２】  これまで、先行技術文献にあるように各分野で三角形状をしたクッションはあるが、これらは洗髪時の腰痛軽減を目的とするものでなく、これに適する構成となっていない。【０００３】  洗髪は特に女性にとって清潔感、気分転換等大変重要であるが、腰痛をもつ人は、前に倒した上体を支え腰痛に耐えながらの洗髪で、洗髪に負担を感じ洗髪の頻度を減らす又は他人の助けを得る等心身の負担も大きかった。【０００４】  力学的にも洗髪時に椅子に座した上で、上体を前に倒すことは、上体及び頭部の重量を支える腰部にモーメントが作用し、腰部には引っ張り、捻じれ、圧縮等の負担がかかり、これが腰痛症状を持つ人には大きな負担となると考える。
【先行技術文献】
【特許文献】
【０００５】
【特許文献１】特開２００８−７３５０４号公報
【特許文献２】特開２００４−３５７８１９号公報
【特許文献３】実用新案登録第３０９４１３９号公報
【特許文献４】意匠登録第１４４５０８０号公報
【発明の概要】
【発明が解決しようとする課題】
【０００６】  本発明の解決しようとする課題は、腰痛者が洗髪時に腰痛を軽減できる使い易い洗髪用補助マットを提供することにある。
【課題を解決するための手段】
【０００７】  請求項１の発明は、洗髪時に洗髪者が椅子に座した状態で上体を前に倒した際に腹部から下胸部の間の部位と大腿部間にできる隙間に介在配置する側面視で三角形の三角形状体であって、その上面と底面との間の角度を、前記上体を倒した際に生じる上体の大腿部に対する傾斜角に対応させ、かつ縦方向の寸法が洗髪者の下腹部から下胸部間に納まる長さで、横方向の寸法が洗髪者の両大腿部間の幅に乗る長さを有し、更に洗髪者の腹部に接する辺に腹部の形状に合わせて円弧状当接部を形成してなり、洗髪使用時に三角形状、傾斜角度を保持できる素材から構成した洗髪用補助マットである。【０００８】  請求項２の発明は、請求項１の洗髪用補助マットにおいて、前記三角形状体を、スチレン樹脂を４０倍から６０倍に発泡成形した発泡体又は同等の性能を有するポリエチレン、ポリスチレン若しくはゴム材を発泡成形した発泡体に構成したものである。【０００９】  請求項３の発明は、請求項１の洗髪用補助マットにおいて、前記三角形状体を、その上面と底面間の角度が１０度〜３０度、縦方向の長さが１５〜３０ｃｍ、横方向の長さが２５〜４５ｃｍとなるように構成したものである。【００１０】  請求項４の発明は、請求項１の洗髪用補助マットにおいて、前記三角形状体を、その周囲の全体又は一部を弾性材、シート材、防水カバーの全部又は一部で被覆して構成したものである。【００１１】  請求項５の発明は、請求項２の洗髪用補助マットにおいて、前記三角形状体の底面に、使用時に当接する両大腿部上面に沿うアーチ状又はブロック形状の溝を一体成形し、かつ該溝を被覆すべく、底面にシート材を配したものである。【００１２】  請求項６の発明は、請求項１の洗髪用補助マットにおいて、前記三角形状体を、そのほぼ横方向中央部で二つ折可能に構成したものである。
【発明の効果】
【００１３】  請求項１の発明の洗髪用補助マットによれば、椅子に座った上で、これを大腿部と腹部から胸部間の部位との間に介在配置して洗髪動作を行うことにより、上体を支える支点を腰部から下胸部に移動した状態に洗髪姿勢を安定して支持でき、そのため腰部に作用するモーメントを低減することで腰部への負担を軽減でき、その一連の作用効果で洗髪時の腰痛を軽減できる。【００１４】  請求項２の発明の洗髪用補助マットによれば、これを、洗髪時に、大腿部と腹部から胸部間の部位との間に介在配置して洗髪動作を行うと、前記三角形状体がその材質の故に確実な保形性を有するため、洗髪者の上体を一定の角度で前方に傾けた姿勢を、その角度をみだりに変更することなく安定して維持することができるため、洗髪者の腰部に無用な負担を掛けるような問題を生じさせない。【００１５】  請求項３の発明の洗髪用補助マットによれば、洗髪者の身体サイズ等に応じて、各部の角度等をその範囲内に設定して適切なそれを使用すれば、請求項１及び２について得られる効果を確実に得ることが出来る。【００１６】  請求項４の発明の洗髪用補助マットによれば、使用後衛生的で保管性の良い効果が得られ、弾性材を併用することで、肌触り良く使用することができる。【００１７】  請求項５の発明の洗髪用補助マットによれば、長時間の洗髪においても大腿部への負担が少なく洗髪ができる。【００１８】  請求項６の発明の洗髪用補助マットによれば、その保管の際に小型化し得るため、狭い保管スペースに保管可能であり、好都合である。【００１９】  なお、請求項１〜６の発明の洗髪用補助マットは、洗髪姿勢の維持、腰への負担軽減ができることから、リュウマチやパーキンソン等の症状を持つ者の洗髪にも効果も期待できる。【００２０】  請求項１〜６の発明の洗髪用補助マットによれば、その基本構造体を発泡材料で構成することにより、加工性が良く、軽く、構成が簡単で使い易い洗髪用補助マットを提供できる。
【図面の簡単な説明】
【００２１】
【図１】実施例１の洗髪用補助マットの斜視図。
【図２】実施例１の洗髪用補助マットの正面図。
【図３】実施例１の洗髪用補助マットの背面図。
【図４】実施例１の洗髪用補助マットの右側面図。
【図５】実施例１の洗髪用補助マットの平面図。
【図６】実施例１の洗髪用補助マットの使用状態説明図。
【図７】洗髪時の上体モーメント作用説明図
【図８】実施例１の洗髪用補助マット使用時の上体モーメント作用説明図。
【図９】実施例２の洗髪用補助マットの斜視図。
【図１０Ａ】実施例３の洗髪用補助マットの斜視図。
【図１０Ｂ】実施例３の洗髪用補助マットの二つ折れ状態の斜視図。
【発明を実施するための形態】
【００２２】  本件発明の洗髪用補助マットは、洗髪時に使用する腰痛者向けの洗髪用補助具で、椅子に座して行う洗髪時の姿勢に合せた、側面視で三角形をなす三角形状体からなるものであり、洗髪時に椅子に座した洗髪者が上体を前方に倒した際に生じる腹部から下胸部の間の部位と大腿部との間の側面視で三角形状の隙間に介在配置することにより、腰痛者の腰部への負担を軽減して腰痛を軽減できるように構成したものである。
【００２３】  洗髪の際には、椅子に座した洗髪者は上体を前方に倒すことが普通に行われるが、その際に、理論的には、上体の大腿部上面に対する傾斜角が大きい程、腰部に作用するモーメントは小さく、腰への負担も小さくなるので、その面では好都合であるが、他面では、その場合には、頭部の位置が高くなるため、シャンプーの泡が目に入るとか、シャンプーが身体に垂れ落ちるとか、あるいは肩の位置が高くなるため、床に置いたシャンプー容器等に手が届きにくくなる等の問題点があり、それ故、通常、洗髪に適する傾斜角まで、上体を前方に倒す必要があることが分った。
【００２４】  しかし、上体の大腿部上面との間の角度が３５度〜５０度の付近においては、正弦と余弦のベクトルバランスから上体荷重が足に十分にかからず洗髪姿勢の維持が不安定で、洗髪時の上体揺れが腰部に大きな負担となる腰痛者特有の問題があることも分った。
【００２５】  洗髪姿勢の検討から上体の大腿部に対する傾斜角θの正弦と余弦の比が０．６以下かつ０．１５以上であれば上体体重を、大腿部の上面に配置した洗髪用補助マットの傾斜面（上面）に預け切れて洗髪姿勢が維持できること、肩と腕の高さ、動きも洗髪に支障がないことが分った。以上から本発明においては洗髪用補助マットの傾斜面（上面）の底面に対する傾斜角θを１０度〜３０度の範囲とすることにした。
【００２６】  前記三角形状体の縦方向および横方向の寸法も腰痛の軽減、装着性、使い勝手に関係する。該三角形状体の傾斜面（上面）は、上体の腹部から胸部全域が当接対象となるが、下胸部から上側は乳房への負担、腕の動きが規制されることが分かり、それ故、該三角形状体の傾斜面（上面）の縦方向の長さは、腹部臍付近から下胸部間で上体の荷重を保持できる長さである１５ｃｍ〜３０ｃｍの範囲とするのが適当である。
【００２７】  該三角形状体の横方向の長さ（幅）は、洗髪用補助マットが両大腿部間に渡って置かれ、上体の荷重をこれで受けること、横方向の長さ（幅）が長すぎると洗髪時に肘が当たること等から両大腿部間の外幅間に合わせ２５ｃｍ〜４５ｃｍの範囲とするのが適当である。
【００２８】  また、該三角形状体には、前記隙間に介在配置した場合に、前記洗髪者の上体の荷重で収縮や中折れ、反発性を有する素材は不適当であり、前記洗髪者の上体の荷重に耐える剛性を有しつつ接する前記洗髪者の腹部、胸部、大腿部に大きな負担をかけない素材が適当である。
【００２９】  本発明では、該三角形状体の素材として、成形時に発泡率や密度の調整で性能を制御でき、他方で、成形性、加工性が良く軽い発泡性樹脂材であるスチレン、ウレタン、ポリエチレン、ポリプロピレン等又はゴム材を採用するのが適当である。
【００３０】  洗髪用補助マットの三角形状体の腹部に対応する側の辺は、腹部に合わせ易くする為に円弧状（凹状）当接部に構成する。
【００３１】  本発明の洗髪用補助マットは、洗髪時にシャンプー液や水を使うことから使用後の乾燥性、衛生面を考慮し、前記三角形状体を構成する材料に吸水率の小さい素材を使うか、あるいはこれに防水カバー等を被覆するのが適当である。
【００３２】  本発明の洗髪用補助マットは直接肌に触れることから、その三角形状体には、違和感の無いように各コーナには丸みをつける。また肌と密着する部位に弾性材を付加する。これらは前記傾斜角に殆ど影響を与えない程度の薄いものとする。
【００３３】  本発明の洗髪用補助マットでは、更に、前記三角形状体の底面に両大腿部の長さ方向に沿ってアーチ状又はブロック状の溝を設け、また該溝を構成した底面にシート材をカバーし、該シート材を介して大腿部に密着配置して荷重を受けさせることで大腿部への負担を軽減して洗髪用補助マットの効果の向上を図る。
【００３４】  本発明の洗髪用補助マットでは、前記三角形状体は、そのほぼ幅方向中央部で二つ折りできるように構成にして、収納性の向上を図る。
【実施例１】
【００３５】  本発明の洗髪補助マットの実施形態について、実施例に基づいて、全体構造を説明する。図１は、実施例１の洗髪用補助マットの概要を示す斜視図である。図２は、図１の矢印Ａから見た正面図であり、図３は、図１の矢印Ｂから見た背面図である。図４は、図１の矢印Ｃから見た右側側面図である。【００３６】  実施例１の洗髪用補助マットの基本構成を図１で説明する。この実施例１の洗髪用補助マット１は、三角形状体である基材２とその周囲に被覆したシート材３とで構成したものであり、該シート材３は、該基材２の周囲に密着して被覆してあるものである。【００３７】  この実施例１において、基材２は、加工性、吸水率、価格で優位なスチロール樹脂を４０倍〜６０倍の倍率で側面視三角形状のくさび形に発泡成形したものである。装着性を良くする為に、該基材２の腹部に当接する辺Ｇの部位には円弧状当接部を成形した。なお、該基材２の材料として、前記スチロール樹脂に代えて、ポリエチレン、ポリプロピレン、ゴム等を用い、発泡率、密度を調整することにより同等の性能を得ることも可能である。【００３８】  図１〜図４に示し、かつ前記したように、前記基材２の周囲にはシート材３が被覆してあり、各コーナには丸みがつけてある。なお、本実施例１においては、前記基材２の周囲に被覆したシート材３は、補強を兼ねたポリエチレン製で厚さ約０．０５ｍｍのそれを用いたが、該基材２が吸水性の素材で構成してある場合には、これに代えて防水カバー等で密封することもできる。【００３９】  前記基材２は、前記のように、側面視で三角形状をなす部材であり、詳細には、底面４と、これに対して所定角度をなす傾斜面である上面５と、両側面と、立面とで囲まれた構成のくさび状の部材であり、上記傾斜面である上面５の底面４に対する傾斜角θは、図４及び図８に示すように、椅子１０に座した使用者が洗髪のために上体を前に倒した際に、その腹部から下胸部の間の部位と大腿部間にできる隙間の形状と角度に合うように設定する。当然、側面視で三角形の最も長い辺に対応する下面が底面４であり、この底面４を洗髪者の大腿部の上に載せて使用する。【００４０】  本実施例１において、前記傾斜角θは、課題解決の手段での検討から、これを２２度に設定し、腰痛を持つ平均的な体格（身長１５８ｃｍ、体重約５０Ｋｇ）の女性に適用して、腰痛低減、洗髪姿勢の安定性の効果が確認できた。【００４１】  図５は本実施例１の洗髪用補助マットの平面図で、外観形状を示す。上面５の下部側の部位５ａには腹部が、上部側の部位５ｂには下胸部が、それぞれ密着し、上面５の上側先端部５ｃが上体を支える支持点となる。上面５の形状は、課題解決の手段での検討から、縦方向長さＮを臍下から胸部下でまでの長さに対応する１８ｃｍ、横方向の長さＭを両大腿部間の幅に対応する３３ｃｍとし、辺Ｇに円弧状当接部を成形して、平均的な体格の女性に適用して、腰痛低減、洗髪姿勢の安定性、装着性、使い勝手の効果が確認できた。【００４２】  本実施例１の洗髪用補助マット１の作用効果を図６、図７及び図８を用いて説明する。
図６は本実施例１の洗髪補助マットの使用状態を示す。図６をモデル化した図７及び図８を用いて作用の詳細を説明する。
図６は、椅子１０に座って実施例１の洗髪用マットを装着して洗髪している状態を示すもので、主な形態は本実施例１の洗髪用補助マット１、洗髪者の上体１１、腰部１２、腹部１３、下胸部１４、頭部１５及び大腿部１６を示している。【００４３】  図７は、洗髪補助マットを使用しない従来の洗髪時における腰部に発生するモーメントをモデル化した説明図で、椅子１０に座り、腰部１２を支持点Ｐとして上体１１と大腿１６が角度θで上体１１と頭部１５の重量を支えている状態を示している。ここにおいて、腰部１２から首下までの長さをＬ０、上体体重Ｗ２、頭部の重さＷ１、支持点Ｐに発生するモーメントＭｐとする。この条件で腰部１２の支持点Ｐに発生するモーメントＭｐを求める。【００４４】  ここで上体１１の荷重を均等荷重として考えて、矢印で示すように均等荷重をｗとする。
ｗ＝Ｗ２÷Ｌ０  より  Ｗ２＝ｗ×Ｌ０  となる。
腰部１２には頭部の重量によるモーメントＭｐ１と上体の重さによるモーメントＭｐ２が作用する。
Ｍｐ＝Ｍｐ１＋Ｍｐ２−−−−−−−−−−  数１
Ｍｐ１＝Ｗ１×Ｌ０Ｃｏｓθ−−−−−−−  数２
Ｍｐ２＝Ｗ２×（Ｌ０÷２）Ｃｏｓθ−−−  数３【００４５】  以上より、頭部１５と上体１１の重量によるモーメントＭｐが作用し、このモーメントＭｐにより腰部１２に引っ張り、圧縮力、捻じれ力等が作用して腰に負担をかける。【００４６】  図８は、本実施例１の洗髪用補助マット１を使用した場合の腰部１２に発生する応力をモデル化した説明図で、上体１１と大腿部１６間に本実施例１の洗髪用補助マット１が介在配置してある。本実施例１の洗髪用補助マット１の介在配置により、みかけ上、腰部に位置する支持点Ｐを胸上部が接する、洗髪用補助マット１の上面５と立面との境界部である支持点Ｆに移動できる。ここにおいて、腰部１２から支持点Ｆまでの長さＬ１、支持点Ｆから首下までの長さＬ２、支持点Ｆに作用するモーメントをＭｆ、頭部１５の重量Ｗ１によるモーメントをＭｆ１、上体１１の荷重Ｗ３によるモーメントをＭｆ２とする。【００４７】            Ｍｆ＝Ｍｆ１＋Ｍｆ２−−−−−−−−−−  数４
Ｍｆ１＝Ｗ１×Ｌ２Ｃｏｓθ−−−−−−−  数５
Ｍｆ２＝Ｗ３×Ｌ２Ｃｏｓθ−−−−−−−  数６
ここにおいて、
Ｗ３＝Ｗ×Ｌ２−−−−−−−−−−−−−  数７【００４８】  以上より、洗髪時に洗髪用補助マット１の上面５に上体が密着するものとして考えると、腰部１２から支持点Ｆまでの間の部位にかかる荷重は分散し、支持点ＰにはモーメントＭｆの反力として同じ大きさのモーメントＭｐ１が作用することから、  Ｍｆ＝Ｍｐ１−−−−−−−−−−−−−−  数８
以上から、腰部１２に作用するモーメントを大幅に低減でき、腰痛の軽減ができると考える。【００４９】  本実施例１の洗髪用補助マット１で試算し、その作用と効果を説明する。【００５０】        条件；体重５０ｋｇの人を想定して試算する。
頭部１１の重さＭ１＝５ｋｇＧ（体重の約１０％）とする。
上体１１の重さＷ２＝２５ｋｇ（体重の約５０％）とする。
上体の長さＬ０＝５０ｃｍ（腰から首）とする。
Ｌ２＝２５ｃｍ、角度θ＝２２度とする【００５１】  従来例において、腰部１２のＰ点に発生するモーメントＭｐは、
数１から、Ｍｐ＝Ｍｐ１＋Ｍｐ２
数２から、Ｍｐ１＝５×５０Ｃｏｓ２２
Ｍｐ１≒２３１．８ｋｇ‐ｃｍ
数３から  Ｍｐ２＝（２５÷２）×５０Ｃｏｓ２２
Ｍｐ２≒５７９．５ｋｇ‐ｃｍ
故に  Ｍｐ≒８１１．３ｋｇ‐ｃｍ
従来例では、支持点Ｐには約８１１．３ｋｇ‐ｃｍのモーメントが作用する。【００５２】  本実施例１において、支持点Ｆに発生するモーメントＭｆは、
数４から  Ｍｆ＝Ｍｆ１＋Ｍｆ２
数５から  Ｍｆ１＝５×２５Ｃｏｓ２２
Ｍｆ≒１１５．９ｋｇ‐ｃｍ
数６から  Ｍｆ２＝１２．５×１２．５Ｃｏｓ２２
Ｍｆ２≒１４４．８１ｋｇ‐ｃｍ
故に  Ｍｆ≒２６０．７ｋｇ‐ｃｍ【００５３】  本実施例１の洗髪用補助マットにおいては、支点Ｆに約２５４．８ｋｇ‐ｃｍのモーメントが作用する。
数８よりＭｆ＝Ｍｐ１から
Ｍｐ（８１１．３）＞Ｍｐ１（２６０．７）となる。
以上より、本実施例１の洗髪用補助マット１を適用することで、腰部１２に作用するモーメントは従来の約１／３となる。
【実施例２】
【００５４】  洗髪に長時間（約１５分以上）を要する場合は、大腿部上部の筋肉に負担がかかることになり、この負担を軽減するのが実施例２である。以下に実施例２について概要を説明する。図９は、実施例２の洗髪用補助マットの斜視図で、構成する三角形状体である基材２２の底面に使用時に当接する大腿部の上部に沿ってアーチ状又はブロック状の溝を成形したものである。【００５５】  実施例２の洗髪用補助マットは、発泡成形した側面視で三角形状体である基材２２とその底面に設けたアーチ状の溝２２ａ、２２ｂ、該基材２２の側面から底面にかけて配したシート材２３からなる。洗髪時には、洗髪用補助マット１を基材２２の底面に設けたアーチ状又はブロック状の溝２２ａ、２２ｂが大腿部の上部に位置するように配置し、洗髪用補助マット１にかかる荷重Ｗを、該アーチ状の溝２２ａ、２２ｂをまたいで張られたシート材２３の対応部位２３ａ、２３ｂと大腿部とで保持する。【００５６】  洗髪用補助マット１にかかる荷重Ｗはアーチ状の両溝２２ａ、２２ｂをまたいで張られたシート材２３の対応部位２３ａ、２３ｂの耐張力と大腿部間とで保持する。荷重Ｗにより大腿部は変形し、これにならってシート材２３の対応部位２３ａ、２３ｂもこれにならって該大腿部に密着する。このように密着することで、かかる荷重Ｗは密着面で分散して大腿部にかかり大腿部上部の筋肉等への局部的な荷重集中を避けることができて、大腿部への負担を低減できる。
【実施例３】
【００５７】  次に、本発明の洗髪用補助マットの未使用時の保管や収納性、商品として流通する際の梱包や輸送効率等を向上する実施例３について概要を説明する。【００５８】  図１０は、二つ折できる実施例３の洗髪用補助マットを示すものである。これは、洗髪用補助マット１が幅方向中央から左支分基材２Ａと右支分基材２Ｂとに分けて開くことができる構成で、使用時には閉じ、不使用時には二つ折りして保管する。構成は、二つに分割した右支分基材２Ａ及び左支分基材２Ｂと、それらの周囲又は側面から該右支分基材２Ａ及び左支分基材２Ｂの底面２６ａ、２６ｂをつなぐシート材７と、該右支分基材２Ａ及び左支分基材２Ｂの上面に設けた保護カバー２８ａ、２８ｂとからなる。【００５９】  作用は、洗髪用補助マット１としての使用時は、図１０Ａに示すように右支分基材２Ａ左支分基材２Ｂが中央部で合わされて機能する。この時洗髪用補助マット１にかかる荷重Ｗは、底面２６ａと２６ｂをつなぐシート材２７に引っ張り力として作用し、シート材２７の耐張り力で荷重Ｗを分担保持する。【００６０】  また、左右の支分基材２Ａと２Ｂの合わせ面２ｍと２ｎには、荷重Ｗは圧縮力として作用し、左右の支分基材２Ａと２Ｂの耐圧縮力で荷重を分担保持する。【００６１】  一方不使用時には、左右の支分基材２Ａと２Ｂの合わせ部であるほぼ中央部から二つ折りにして保管できる。この時左右の支分基材２Ａと２Ｂの底面２６ａと２６ｂをつなぐシート材２７は、上記引っ張り力に耐えうる薄い素材を用いており二つ折りが容易にできる。【００６２】  次に、両支分基材２Ａと２Ｂの上面には肌にやさしい素材からなる保護カバー２８ａ、２８ｂを構成してある。実施例３においては、保護カバー２８ｂを合わせ面２ｍと２ｎの隙間を覆う長さにし、隙間で皮膚を挟まないようにしてある。【００６３】  こうしてこの実施例３の洗髪補助用マットは、実施例１の洗髪補助用マットの機能を損なうことなく、収納性のよい洗髪用補助マットとなる。
【符号の説明】
【００６４】１    洗髪用補助マット
２    基材（三角形状体）
３    シート材
４    底面
５    上面
５ａ  上面５の腹接触部位
５ｂ  上面５の下胸部接触部位
５ｃ  上面５の上側先端部位
Ｇ    円弧成形部
１０  椅子
１１  上体
１２  腰部
１３  腹部
１４  下胸部
１５  頭部
１６  大腿
１７  足
２Ａ  右支分基材２の分割右側
２Ｂ  左支分基材２の分割左側
２ｍ  右支分基材２Ａ合わせ面
２ｎ  左支分基材２Ｂ合わせ面
２２ａ  底面の右側アーチ部
２２ｂ  底面の左側アーチ部
２３ａ  底面シート２３右大腿接触面
２３ｂ  底面シート２３左大腿接触面
２６ａ  右支分基材２Ａ底面
２６ｂ  左支分基材２Ｂ底面
２７    シート材
２８ａ  右支分基材２Ａ上面保護カバー
２８ｂ  左支分基材２Ｂ上面保護カバー
【要約】
【課題】腰痛者が入浴洗髪時に腰痛を軽減できる使い勝手の良い、安価な洗髪用補助マットを提供すること。
【解決手段】洗髪時に洗髪者が椅子に座した状態で上体を前に倒した際に腹部から下胸部の間の部位と大腿部間にできる隙間に介在配置する側面視で三角形の三角形状体であって、その上面と底面との間の角度を、前記上体を倒した際に生じる上体の大腿部に対する傾斜角に対応させ、かつ縦方向の寸法が洗髪者の下腹部から下胸部間に納まる長さで、横方向の寸法が洗髪者の両大腿部間の幅に乗る長さを有し、更に洗髪者の腹部に接する辺に腹部の形状に合わせて円弧状当接部を形成してなり、洗髪使用時に三角形状、傾斜角度を保持できる素材から構成した洗髪用補助マットである。
【選択図】図１【図１】
0005605883.tif 000002
【図２】
0005605883.tif 000003
【図３】
0005605883.tif 000004
【図４】
0005605883.tif 000005
【図５】
0005605883.tif 000006
【図６】
0005605883.tif 000007
【図７】
0005605883.tif 000008
【図８】
0005605883.tif 000009
【図９】
0005605883.tif 000010
【図１０Ａ】
0005605883.tif 000011
【図１０Ｂ】
0005605883.tif 000012